(57)【要約】      （修正有）【課題】居室親機から玄関子機に直流電源を供給時に、直流電源のインピーダンスを変更し、ノイズ等の影響による誤動作の発生を防止して省電力化を図る。【解決手段】居室親機は、親機電源回路２０７にて生成される子機電源のインピーダンスを、第１乃至第３の各子機電源供給回路２０８、２０９、２１０を経由して変更する。玄関子機においては、カメラ電源検出回路１１５、又は表示器電源検出回路１１６にて第１の子機電源供給回路からの高インピーダンスの子機電源が受電されると、カメラ検出負荷回路１１４及び負荷切離回路１１７を制御する一方、カメラ電源検出回路にて第２の子機電源供給回路からの低インピーダンスの子機電源が受電される、或いは、表示器電源検出回路にて第３の子機電源供給回路からの低インピーダンスの子機電源が受電されると、カメラ検出負荷回路及び伝送路の間の電源供給ラインが遮断されるように負荷切離回路を制御する。【選択図】図１
2008301252.tif 000002
【特許請求の範囲】
【請求項１】
カメラ（１０１）を有する玄関子機（１ａ、１ｂ）と、伝送路（Ｌ）により前記玄関子機に接続され、前記玄関子機からの呼び出しに応答して通話を成立させ、前記玄関子機のカメラにて撮像された映像を出画するためのモニタ（２０５）を有する居室親機（２ａ、２ｂ）とを設け、
前記居室親機には、当該居室親機の親機電源及び前記玄関子機の子機電源をそれぞれ生成するための親機電源回路（２０７）と、前記親機電源回路にて生成される子機電源を高インピーダンスで前記玄関子機に供給して当該玄関子機の動作状態を判別するための第１の子機電源供給回路（２０８）と、前記親機電源回路にて生成される子機電源を低インピーダンスで前記玄関子機に供給して前記カメラを駆動させるための第２の子機電源供給回路（２０９）とを備え、
前記玄関子機には、前記居室親機の第１の子機電源供給回路から供給されてくる子機電源のインピーダンスが高インピーダンスであることを検出して当該子機電源の電圧値を降圧させるためのカメラ検出負荷回路（１１４）と、前記居室親機の第２の子機電源供給回路から供給されてくる低インピーダンスの子機電源を受電して前記カメラを駆動制御するためのカメラ電源検出回路（１１５）と、前記居室親機の第１の子機電源供給回路から供給されてくる子機電源を受電すると前記伝送路及び前記カメラ検出負荷回路の間の電源供給ラインを形成し、前記居室親機の第２の子機電源供給回路から供給されてくる低インピーダンスの子機電源を受電すると前記伝送路及び前記カメラ検出負荷回路の間の電源供給ラインを遮断するための負荷切離回路（１１７）とを備えたことを特徴とするテレビドアホン装置。
【請求項２】
カメラ（１０１）及び戸外表示器（１０９）をそれぞれ有する玄関子機（１ａ）と、伝送路（Ｌ）により前記玄関子機に接続され、前記玄関子機からの呼び出しに応答して通話を成立させ、前記玄関子機のカメラにて撮像された映像を出画するためのモニタ（２０５）を有し、前記玄関子機の戸外表示器を駆動制御するための居室親機（２ａ）とを設け、
前記居室親機には、当該居室親機の親機電源及び前記玄関子機の子機電源をそれぞれ生成するための親機電源回路（２０７）と、前記親機電源回路にて生成される子機電源を高インピーダンスで前記玄関子機に供給して当該玄関子機の動作状態を判別するための第１の子機電源供給回路（２０８）と、前記親機電源回路にて生成される子機電源を低インピーダンスで前記玄関子機に供給して前記カメラを駆動させるための第２の子機電源供給回路（２０９）と、前記親機電源回路にて生成される子機電源の電圧値を変化させて低インピーダンスで前記玄関子機に供給し、前記戸外表示器を駆動させるための第３の子機電源供給回路（２１０）とを備え、
前記玄関子機には、前記居室親機の第１の子機電源供給回路から供給されてくる子機電源のインピーダンスが高インピーダンスであることを検出して当該子機電源の電圧値を降圧させるためのカメラ検出負荷回路（１１４）と、前記居室親機の第２の子機電源供給回路から供給されてくる低インピーダンスの子機電源を受電して前記カメラを駆動制御するためのカメラ電源検出回路（１１５）と、前記居室親機の第３の子機電源供給回路から供給されてくる低インピーダンスの子機電源を受電して前記戸外表示器を駆動制御するための表示器電源検出回路（１１６）と、前記居室親機の第１の子機電源供給回路から供給されてくる子機電源を受電すると前記伝送路及び前記カメラ検出負荷回路の間の電源供給ラインを形成し、前記居室親機の第２の子機電源供給回路又は第３の子機電源供給回路から供給されてくる低インピーダンスの子機電源を受電すると前記伝送路及び前記カメラ検出負荷回路の間の電源供給ラインを遮断するための負荷切離回路（１１７）とを備えたことを特徴とするテレビドアホン装置。
【発明の詳細な説明】
【技術分野】
【０００１】
本発明はテレビドアホン装置に係り、特に、玄関子機及び居室親機の間を接続する伝送路に重畳される直流電源の電圧値をもとに、当該玄関子機の動作状態を判別することができるテレビドアホン装置に関する。
【背景技術】
【０００２】
従来から、この種のテレビドアホン装置として、玄関先に居る来訪者による玄関子機からの呼び出しに住戸内の居住者が応答して通話を成立させるための機器として、同一な構成の親機を複数台接続して使用可能としたインターホンシステムが開示されている（例えば、特許文献１を参照。）。
【０００３】
このインターホンシステムによれば、住戸内に設置される親機及び増設親機のうち、親機を、主ラインを介して玄関先に設置される玄関子機に、増設親機を、増設ラインを介して親機にそれぞれ接続し、主ライン及び増設ラインのインピーダンスを、親機及び増設親機の接続検出インピーダンス整合回路にて整合することにより、親機と増設親機とが同一な構成で接続され使用可能となる。
【０００４】
【特許文献１】特開２００３−３２４５４１号公報（段落番号［００１２］、［００１４］、［００１８］、［００１９］等、第１図）
【発明の開示】
【発明が解決しようとする課題】
【０００５】
背景技術に記載した特許文献１のインターホンシステムによれば、主ライン及び増設ラインのインピーダンスを、親機及び増設親機の接続検出インピーダンス整合回路にて整合するため、例えば、居室親機の機能として、直流電源（子機電源）を高インピーダンスで玄関子機に供給している場合、主ラインに重畳される直流電源（子機電源）の電圧値は、居室親機の動作に必要とされる直流電源（親機電源）の電圧値に近づいてしまい、玄関子機の動作状態を決定する電圧値の幅が狭くなる。このため、例えば、映像撮像、警報発報等のような多種の動作状態を玄関子機に規定することができない虞があり、各動作状態に対応させた電圧値が近似することから、ノイズ等の影響で誤動作する難点があった。
【０００６】
本発明は、この難点を解消するためになされたもので、居室親機から玄関子機に直流電源を供給するにあたって、この直流電源のインピーダンス及び電圧値のうち少なくともインピーダンスを、当該玄関子機に規定した動作状態に対応させて変更し、ノイズ等の影響による誤動作の発生を防止するとともに、低インピーダンスの電源供給時における消費電力を抑えて省電力化が図られたテレビドアホン装置を提供することを目的としている。
【課題を解決するための手段】
【０００７】
前述の目的を達成するため、本発明の第１の態様であるテレビドアホン装置は、カメラを有する玄関子機と、伝送路により玄関子機に接続され、玄関子機からの呼び出しに応答して通話を成立させ、玄関子機のカメラにて撮像された映像を出画するためのモニタを有する居室親機とを設けたものである。居室親機には、当該居室親機の親機電源及び玄関子機の子機電源をそれぞれ生成するための親機電源回路と、親機電源回路にて生成される子機電源を高インピーダンスで玄関子機に供給して当該玄関子機の動作状態を判別するための第１の子機電源供給回路と、親機電源回路にて生成される子機電源を低インピーダンスで玄関子機に供給してカメラを駆動させるための第２の子機電源供給回路とを備えている。玄関子機には、居室親機の第１の子機電源供給回路から供給されてくる子機電源のインピーダンスが高インピーダンスであることを検出して当該子機電源の電圧値を降圧させるためのカメラ検出負荷回路と、居室親機の第２の子機電源供給回路から供給されてくる低インピーダンスの子機電源を受電してカメラを駆動制御するためのカメラ電源検出回路と、居室親機の第１の子機電源供給回路から供給されてくる子機電源を受電すると伝送路及びカメラ検出負荷回路の間の電源供給ラインを形成し、居室親機の第２の子機電源供給回路から供給されてくる低インピーダンスの子機電源を受電すると伝送路及びカメラ検出負荷回路の間の電源供給ラインを遮断するための負荷切離回路とを備えている。
【０００８】
また、本発明の第２の態様であるテレビドアホン装置は、カメラ及び戸外表示器をそれぞれ有する玄関子機と、伝送路により玄関子機に接続され、玄関子機からの呼び出しに応答して通話を成立させ、玄関子機のカメラにて撮像された映像を出画するためのモニタを有し、玄関子機の戸外表示器を駆動制御するための居室親機とを設けたものである。居室親機には、当該居室親機の親機電源及び玄関子機の子機電源をそれぞれ生成するための親機電源回路と、親機電源回路にて生成される子機電源を高インピーダンスで玄関子機に供給して当該玄関子機の動作状態を判別するための第１の子機電源供給回路と、親機電源回路にて生成される子機電源を低インピーダンスで玄関子機に供給してカメラを駆動させるための第２の子機電源供給回路と、親機電源回路にて生成される子機電源の電圧値を変化させて低インピーダンスで玄関子機に供給し、戸外表示器を駆動させるための第３の子機電源供給回路とを備えている。玄関子機には、居室親機の第１の子機電源供給回路から供給されてくる子機電源のインピーダンスが高インピーダンスであることを検出して当該子機電源の電圧値を降圧させるためのカメラ検出負荷回路と、居室親機の第２の子機電源供給回路から供給されてくる低インピーダンスの子機電源を受電してカメラを駆動制御するためのカメラ電源検出回路と、居室親機の第３の子機電源供給回路から供給されてくる低インピーダンスの子機電源を受電して戸外表示器を駆動制御するための表示器電源検出回路と、居室親機の第１の子機電源供給回路から供給されてくる子機電源を受電すると伝送路及びカメラ検出負荷回路の間の電源供給ラインを形成し、居室親機の第２の子機電源供給回路又は第３の子機電源供給回路から供給されてくる低インピーダンスの子機電源を受電すると伝送路及びカメラ検出負荷回路の間の電源供給ラインを遮断するための負荷切離回路とを備えている。
【発明の効果】
【０００９】
本発明のテレビドアホン装置によれば、カメラを有する玄関子機に伝送路を経由して居室親機から子機電源を供給するにあたり、居室親機においては、親機電源回路にて生成される子機電源のインピーダンスを、第１、第２の各子機電源供給回路を経由して変更することができる。玄関子機においては、カメラを駆動させるカメラ電源検出回路にて第１の子機電源供給回路からの高インピーダンスの子機電源が受電されると、当該玄関子機の動作状態を判別するカメラ検出負荷回路及び伝送路の間の電源供給ラインが形成されるように負荷切離回路を制御する一方、カメラ電源検出回路にて第２の子機電源供給回路からの低インピーダンスの子機電源が受電されると、カメラ検出負荷回路及び伝送路の間の電源供給ラインが遮断されるように負荷切離回路を制御する。これにより、居室親機から玄関子機に直流電源を供給するにあたって、この直流電源のインピーダンスを、当該玄関子機に規定した動作状態に対応させて変更することで、ノイズ等の影響による誤動作の発生を防止することができるとともに、低インピーダンスの電源供給時における消費電力が抑えられて省電力化を図ることができる。
【００１０】
また、本発明のテレビドアホン装置によれば、カメラ及び戸外表示器を有する玄関子機に伝送路を経由して居室親機から子機電源を供給するにあたり、居室親機においては、親機電源回路にて生成される子機電源のインピーダンス及び電圧値のうち少なくともインピーダンスを、第１乃至第３の各子機電源供給回路を経由して変更することができる。玄関子機においては、カメラを駆動させるカメラ電源検出回路、又は戸外表示器を駆動させる表示器電源検出回路にて第１の子機電源供給回路からの高インピーダンスの子機電源が受電されると、当該玄関子機の動作状態を判別するカメラ検出負荷回路及び伝送路の間の電源供給ラインが形成されるように負荷切離回路を制御する一方、カメラ電源検出回路にて第２の子機電源供給回路からの低インピーダンスの子機電源が受電される、或いは、表示器電源検出回路にて第３の子機電源供給回路からの低インピーダンスの子機電源が受電されると、カメラ検出負荷回路及び伝送路の間の電源供給ラインが遮断されるように負荷切離回路を制御する。これにより、居室親機から玄関子機に直流電源を供給するにあたって、この直流電源のインピーダンス及び電圧値のうち少なくともインピーダンスを、当該玄関子機に規定した動作状態に対応させて変更することで、ノイズ等の影響による誤動作の発生を防止することができるとともに、低インピーダンスの電源供給時における消費電力が抑えられて省電力化を図ることができる。
【発明を実施するための最良の形態】
【００１１】
以下、本発明のテレビドアホン装置を適用した最良の実施の形態例について、図面を参照して説明する。
【００１２】
図１は、本発明の第１の実施例によるテレビドアホン装置の具体的な構成を示す回路ブロック図である。このテレビドアホン装置は、住戸外、例えば、玄関に設置される玄関子機１ａと、呼出・通話ラインＬ1、２線の電源・映像ラインＬ2、Ｌ3の３線により構成された伝送路Ｌを経由して玄関子機１ａに接続され、住戸内に設置される居室親機２ａとが設けられている。
【００１３】
玄関子機１ａには、呼出ボタン１００、カメラ１０１、映像信号生成回路１０２、映像変調回路１０３、低周波数帯域通過回路（以下、ＬＰＦという。）１０４、映像不平衡・平衡変換回路１０５、子機マイク１０６、子機スピーカ１０７、子機通話回路１０８、戸外表示器１０９、２つの子機インピーダンス制御回路（以下、第１、第２の各子機インピーダンス制御回路という。）１１０、１１１、整流ダイオード１１２、子機電源回路１１３、カメラ検出負荷回路１１４、カメラ電源検出回路１１５、表示器電源検出回路１１６、負荷切離回路１１７及び３個のライン端子Ｐ10、Ｐ11、Ｐ12が備えられている。
【００１４】
この玄関子機１ａにおいて、呼出ボタン１００は、玄関に居る人物、例えば、来訪者が、住戸内に在室中の居住者を呼び出すために操作するものであり、ライン端子Ｐ10を経由して呼出・通話ラインＬ1に接続されている。
【００１５】
カメラ１０１は、呼出操作を行った来訪者の映像や玄関の周囲近傍の映像等を撮像するためのものであり、例えば、ＣＣＤ、ＣＭＯＳ等の各種の撮像媒体が好適とされる。また、映像信号生成回路１０２は、カメラ１０１にて撮像された映像について信号処理を行い、電気信号の映像信号を生成するためのものである。また、映像変調回路１０３は、映像信号生成回路１０２にて生成された映像信号をＦＭ変調するためのものである。また、ＬＰＦ１０４は、映像変調回路１０３にてＦＭ変調された映像信号の低周波数帯域のみを通過させるためのものである。さらに、映像不平衡・平衡変換回路１０５は、ＬＰＦ１０４を経由した映像信号について、当該映像信号が伝送される２線の電源・映像ラインＬ2、Ｌ3との間の平衡をとるために不平衡・平衡変換するものであり、ライン端子Ｐ11を経由して電源・映像ラインＬ2と、ライン端子Ｐ12を経由して電源・映像ラインＬ3とにそれぞれ接続されている。
【００１６】
子機マイク１０６及び子機スピーカ１０７は、来訪者が居住者との間で通話を成立させるための音声（送話音声、受話音声）を入出力するものである。また、子機通話回路１０８は、子機マイク１０６及び子機スピーカ１０７にて入出力される音声である電気信号の音声信号について４線／２線変換、２線／４線変換、増幅等の信号処理を行うためのものであり、ライン端子Ｐ10を経由して呼出・通話ラインＬ1に接続されている。なお、子機スピーカ１０７は、前述の通話機能の他に、後述する呼出確認音や音声メッセージ等、警報音や音声メッセージ等をそれぞれ出力することもでき、ライン端子Ｐ10を経由して呼出・通話ラインＬ1に接続されている。
【００１７】
戸外表示器１０９は、火災、ガス漏れ等の住戸内にて発生したセキュリティ異常を住戸外にて警報表示するために点滅（点滅駆動）又は点灯（点灯駆動）されるものであり、例えば、ＬＥＤ等の各種の表示媒体が好適とされ、表示器電源検出回路１１６に接続されている。
【００１８】
第１、第２の各子機インピーダンス制御回路１１０、１１１はそれぞれ、ライン端子Ｐ11、Ｐ12に接続された２線の電源・映像ラインＬ2、Ｌ3への交流電圧・信号の送出を遮断するためにインピーダンス値を制御するものである。また、第１の子機インピーダンス制御回路１１０は、前述の機能の他に、ライン端子Ｐ11に接続された電源・映像ラインＬ2を経由して居室親機２ａから供給されてくる子機電源のインピーダンスを低下させて整流ダイオード１１２に送出することができる。なお、第２の子機インピーダンス制御回路１１１は、ライン端子Ｐ12を経由して電源・映像ラインＬ3に接続されているとともに、アース接地されている。
【００１９】
整流ダイオード１１２は、第１の子機インピーダンス制御回路１１０から子機電源回路１１３への電源供給ライン（電源供給路）、第１の子機インピーダンス制御回路１１０から負荷切離回路１１７を経由してカメラ検出負荷回路１１４への電源供給ライン（電源供給路）、第１の子機インピーダンス制御回路１１０からカメラ電源検出回路１１５への電源供給ライン（電源供給路）、及び第１の子機インピーダンス制御回路１１０から表示器電源検出回路１１６への電源供給ライン（電源供給路）をそれぞれ形成するためのものである。
【００２０】
子機電源回路１１３は、整流ダイオード１１２を経由して供給されてくる子機電源を受電し、当該玄関子機の構成各部／回路にそれぞれ供給するためのものである。また、カメラ検出負荷回路１１４は、ライン端子Ｐ11に印加される子機電源のインピーダンスが高インピーダンスであることを検出して当該子機電源の電圧値を降圧させるためのものである。また、カメラ電源検出回路１１５は、整流ダイオード１１２を経由して供給されてくる子機電源を受電し、カメラ１０１を駆動制御するとともに、受電した子機電源の電圧値をもとに負荷切離回路１１７を制御するためのものであり、子機電源回路１１３に接続されている。さらに、表示器電源検出回路１１６は、整流ダイオード１１２を経由して供給されてくる子機電源を受電し、戸外表示器１０９を駆動制御、すなわち、点滅又は点灯させるとともに、受電した子機電源の電圧値をもとに負荷切離回路１１７を制御するためのものである。
【００２１】
負荷切離回路１１７は、居室親機２ａの後述する第１の子機電源供給回路２０８から供給されてくる子機電源をカメラ電源検出回路１１５又は表示器電源検出回路１１６が受電すると、呼出・通話ラインＬ1及びカメラ検出負荷回路１１４の間の電源供給ライン（電源供給路）を形成し、居室親機２ａの後述する第２の子機電源供給回路２０９から供給されてくる低インピーダンスの子機電源をカメラ電源検出回路１１５が受電する、或いは、居室親機２ａの後述する第３の子機電源供給回路２１０から供給されてくる低インピーダンスの子機電源を表示器電源検出回路１１６が受電すると、呼出・通話ラインＬ1及びカメラ検出負荷回路１１４の間の電源供給ライン（電源供給路）を遮断するためのものであり、例えば、スイッチが好適とされる。
【００２２】
また、居室親機２ａには、呼出検出回路２００、親機マイク２０１、親機スピーカ２０２、親機通話回路２０３、呼出・通話切替回路２０４、モニタ２０５、映像復調回路２０６、親機電源回路２０７、第１乃至第３の各子機電源供給回路２０８、２０９、２１０、２つの親機インピーダンス制御回路（以下、第１、第２の各親機インピーダンス制御回路という。）２１１、２１２、操作部２１３、ＣＰＵ２１４及び３個のライン端子Ｐ20、Ｐ21、Ｐ22が備えられている。
【００２３】
この居室親機２ａにおいて、呼出検出回路２００は、来訪者による玄関子機１ａの呼出ボタン１００の操作の有無を検出するためのものであり、呼出・通話切替回路２０４、ライン端子Ｐ20を経由して呼出・通話ラインＬ1と、ＣＰＵ２１４とにそれぞれ接続されている。
【００２４】
親機マイク２０１及び親機スピーカ２０２は、居住者が来訪者との間で通話を成立させるための音声（送話音声、受話音声）を入出力するものである。また、親機通話回路２０３は、ＣＰＵ２１４により制御され、親機マイク２０１及び親機スピーカ２０２にて入出力される音声である電気信号の音声信号について４線／２線変換、２線／４線変換、増幅等の信号処理を行うためのものであり、呼出・通話切替回路２０４、ライン端子Ｐ20を経由して呼出・通話ラインＬ1と、ＣＰＵ２１４とにそれぞれ接続されている。なお、親機スピーカ２０２は、前述の通話機能の他に、後述する呼出音や音声メッセージ等、警報音や音声メッセージ等をそれぞれ出力することもできる。
【００２５】
呼出・通話切替回路２０４は、ＣＰＵ２１４の制御により切り替えられ、呼出・通話ラインＬ1からライン端子Ｐ20を経由して呼出検出回路２００への信号伝送ライン（信号伝送路）、或いは、ライン端子Ｐ20を経由して呼出・通話ラインＬ1及び親機通話回路２０３の間の信号伝送ライン（信号伝送路）を形成するためのものである。なお、当該テレビドアホン装置が待受状態、すなわち、来訪者により玄関子機１ａの呼出ボタン１００が操作されておらず通話も成立していない状態において、この呼出・通話切替回路２０４は、呼出・通話ラインＬ1がライン端子Ｐ20を経由して呼出検出回路２００に接続されるように切り替えられている。
【００２６】
モニタ２０５は、ＣＰＵ２１４の制御により出画状態に制御され、玄関子機１ａのカメラ１０１にて撮像された映像を出画するためのものであり、例えば、ＬＣＤ、ＰＤＰ、有機ＥＬディスプレイ等の各種の出画表示媒体が好適とされる。また、映像復調回路２０６は、ＣＰＵ２１４により制御され、２線の電源・映像ラインＬ2、Ｌ3、ライン端子Ｐ21、Ｐ22をそれぞれ経由して玄関子機１ａから伝送されてくる映像信号をＦＭ復調してモニタ２０５に送出するためのものである。なお、モニタ２０５は、前述の出画機能能の他に、後述する呼出メッセージや絵データ等、警報メッセージや絵データ等をそれぞれ表示することもできる。
【００２７】
親機電源回路２０７は、ＣＰＵ２１４により制御され、商用電源について整流・平滑させた居室親機２ａの親機電源を生成し、当該居室親機の構成各部／回路にそれぞれ供給するとともに、所定の電圧値の子機電源を生成するためのものであり、第１乃至第３の各子機電源供給回路２０８、２０９、２１０にそれぞれ接続されている。また、第１の子機電源供給回路２０８は、ＣＰＵ２１４により制御され、親機電源回路２０７にて生成された子機電源を高インピーダンスで玄関子機１ａに供給し、当該玄関子機の動作状態を判別する、例えば、当該玄関子機に映像撮像機能（１０１、１０２、１０３、１０４、１０５）が備えられているか否かを判別するためのものであり、第１の親機インピーダンス制御回路２１１に接続されている。また、第２の子機電源供給回路２０９は、ＣＰＵ２１４により制御され、親機電源回路２０７にて生成された子機電源を低インピーダンスで玄関子機１ａに供給してカメラ１０１のみならず、その他の映像撮像機能（１０２、１０３、１０４、１０５）を駆動させるためのものであり、第１の親機インピーダンス制御回路２１１に接続されている。さらに、第３の子機電源供給回路２１０は、親機電源回路２０７にて生成された子機電源の電圧値を変化させて低インピーダンスで玄関子機１ａに供給し、戸外表示器１０９を駆動、すなわち、点滅又は点灯させるためのものであり、第１の親機インピーダンス制御回路２１１に接続されている。
【００２８】
第１、第２の各親機インピーダンス制御回路２１１、２１２はそれぞれ、ライン端子Ｐ21、Ｐ22に接続された２線の電源・映像ラインＬ2、Ｌ3を経由して玄関子機１ａから伝送されてくる映像信号のインピーダンスを上昇させて映像復調回路２０６に送出するとともに、２線の電源・映像ラインＬ2、Ｌ3への交流電圧・信号の送出を遮断するためにインピーダンス値を制御するものである。また、第１の親機インピーダンス制御回路２１１は、前述の機能の他に、第１乃至第３の各子機電源供給回路２０８、２０９、２１０からそれぞれ供給されてくる子機電源のインピーダンスを低下させて電源・映像ラインＬ2に送出することができる。なお、第２の親機インピーダンス制御回路２１２は、ライン端子Ｐ22を経由して電源・映像ラインＬ3に接続されているとともに、アース接地されている。
【００２９】
操作部２１３は、来訪者からの呼び出しがあることを確認した居住者が当該来訪者との間で通話を成立させるための操作（応答操作等）が行われるものであり、この操作は、ＣＰＵ２１４にて検出される。また、ＣＰＵ２１４は、当該居室親機の構成各部／回路をそれぞれ、前述のように制御するためのものである。なお、操作部２１３は、前述の操作機能の他に、火災、ガス漏れ等の住戸内にて発生したセキュリティ異常を住戸外にて警報表示及び／又は警報発報させるための操作を行うこともできる。また、火災、ガス漏れ等の住戸内にて発生したセキュリティ異常は、図示しないセンサにて検知することもでき、このセンサが備えられている場合、当該センサの検知動作は、ＣＰＵ２１４にて検知される。
【００３０】
このように構成された本発明の第１の実施例によるテレビドアホン装置において、以下、具体的な動作について説明する。
【００３１】
図１に示す当該テレビドアホン装置が待受状態、例えば、施工が完了した後の待受状態であり、来訪者により玄関子機１ａの呼出ボタン１００が操作されておらず通話も成立していない状態において、施工業者や居住者等が居室親機２ａの操作部２１３を使用して所定の設定操作を行うと、この操作を検出したＣＰＵ２１４は、当該玄関子機の動作状態を判別する、例えば、当該玄関子機に映像撮像機能（１０１、１０２、１０３、１０４、１０５）が備えられているか否かを判別するために、第１の子機電源供給回路２０８を能動とし、親機電源回路２０７にて生成された例えば、ＤＣ１２Ｖの子機電源を、例えば、約１０ｋΩの高インピーダンスで、第１の親機インピーダンス制御回路２１１、ライン端子Ｐ21、電源・映像ラインＬ1を経由して玄関子機１ａのライン端子Ｐ11に印加することができる。
【００３２】
ここで、玄関子機１ａのカメラ検出負荷回路１１４は、当該玄関子機に図示のような映像撮像機能（１０１、１０２、１０３、１０４、１０５）が備えられているため、（負荷切離回路１１７、整流ダイオード１１２、第１の子機インピーダンス制御回路１１０、を経由して）ライン端子Ｐ11に印加された子機電源の電圧値が、電源・映像ラインＬ2が有する例えば、約３．３ｋΩ〜３３０Ωのインピーダンスと当該カメラ検出負荷回路が有する低いインピーダンス、例えば、約１００Ωのインピーダンスとの影響を受けて、ＤＣ１２Ｖよりも十分に低い例えば、ＤＣ１Ｖ以下であることを検出するとともに、このＤＣ１Ｖ以下の子機電源は、居室親機２ａの第１の子機電源供給回路２０８においても検出される。
【００３３】
また、居室親機２ａの第１の子機電源供給回路２０８は、検出されたＤＣ１Ｖ以下の子機電源をもとに、玄関子機１ａに映像撮像機能（１０１、１０２、１０３、１０４、１０５）が備えられていることを検出し、その旨の検出信号を生成してＣＰＵ２１４に記憶させることができる。
【００３４】
次に、来訪者が居住者を呼び出して通話を成立させる動作について説明する。前述のような待受状態のとき、来訪者が居住者を呼び出すために玄関子機１ａの呼出ボタン１００を操作すると、この呼出ボタン１００からライン端子Ｐ10、呼出・通話ラインＬ1、居室親機２ａのライン端子Ｐ20、呼出・通話切替回路２０４を経由して呼出検出回路２００に呼出信号が伝送される。
【００３５】
居室親機２ａの呼出検出回路２００は、玄関子機１ａからの呼出信号を受信すると、来訪者による呼び出しがあったことを検出し、その旨の呼出検出信号を生成してＣＰＵ２１４に送出する。この呼出検出信号を受信したＣＰＵ２１４は、親機電源回路２０７を制御して、当該居室親機の構成各部／回路が動作可能な所定の電圧値の親機電源を生成させるとともに、玄関子機１ａの映像撮像機能（１０１、１０２、１０３、１０４、１０５）を能動にするために、第１の子機電源供給回路２０８の動作を停止させる一方、第２の子機電源供給回路２０９を能動とし、親機電源回路２０７にて生成されたＤＣ１２Ｖの子機電源を、例えば、約０Ωの低インピーダンスで、第１の親機インピーダンス制御回路２１１、ライン端子Ｐ21、電源・映像ラインＬ1を経由して玄関子機１ａのライン端子Ｐ11に印加することができる。
【００３６】
ここで、玄関子機１ａのカメラ電源検出回路１１５は、（整流ダイオード１１２、第１の子機インピーダンス制御回路１１０を経由して）ライン端子Ｐ11に印加された子機電源の電圧値が、電源・映像ラインＬ2が有するインピーダンスの影響を何ら受けずにＤＣ１２Ｖであると検出する。このＤＣ１２Ｖの子機電源を検出したカメラ電源検出回路１１５は、例えば、ＤＣ１２ＶからＤＣ５Ｖに降圧された子機電源を子機電源回路１１３にて生成させ、当該玄関子機の映像撮像機能（１０１、１０２、１０３、１０４、１０５）を能動にするとともに、低インピーダンスである例えば、１００Ωのインピーダンスを有するカメラ検出負荷回路１１４における消費電力を抑えるために負荷切離回路１１７を制御し、整流ダイオード１１２からカメラ検出負荷回路１１４への電源供給ラインを遮断することができる。
【００３７】
また、居室親機２ａにおいて、呼出検出回路２００からの呼出検出信号を受信したＣＰＵ２１４は、来訪者からの呼び出しがあることの呼出音や音声メッセージ等を生成して親機スピーカ２０２から出力させるとともに、モニタ２０５を出画可能な状態に制御することができる。
【００３８】
なお、前述までの説明では、居室親機２ａの呼出検出回路２００からの呼出検出信号を受信したＣＰＵ２１４による制御として、第２の子機電源供給回路２０９への制御と、親機スピーカ２０２及びモニタ２０５の使用による呼出報知制御とについて説明したが、この態様に限定されるものではない。例えば、ＣＰＵ２１４にて生成される呼出確認音信号を、呼出・通話切替回路２０４、ライン端子Ｐ20、呼出・通話ラインＬ1、玄関子機１ａのライン端子Ｐ10を経由して子機スピーカ１０７に送出することにより、呼出確認音や音声メッセージ等を子機スピーカ１０７から出力させ、来訪者による呼出操作が正常に呼出報知されたことを当該来訪者に確認させることもできる。
【００３９】
この後、玄関子機１ａの子機電源回路１１３からのＤＣ５Ｖの子機電源が動作電源となり能動にされたカメラ１０１は、呼出操作を行った来訪者の映像や玄関の周囲近傍の映像等の撮像を開始する。この映像は、映像信号生成回路１０２を経由して電気信号の映像信号に信号処理される。また、映像変調回路１０３は、映像信号生成回路１０２にて生成された映像信号をＦＭ変調した後、ＬＰＦ１０４に送出する。また、ＬＰＦ１０４は、映像変調回路１０３を経由した映像信号の低周波数帯域のみを通過させ、映像不平衡・平衡変換回路１０５は、ＬＰＦ１０４を経由した映像信号を不平衡・平衡変換する。さらに、映像不平衡・平衡変換回路１０５にて不平衡・平衡変換された平衡映像信号は、ライン端子Ｐ11、Ｐ12、２線の電源・映像ラインＬ2、Ｌ3、居室親機２ａのライン端子Ｐ21、Ｐ22を経由して第１、第２の親機インピーダンス制御回路２１３、２１４にそれぞれ伝送され、当該親機インピーダンス制御回路の制御によりインピーダンス値が上昇された後、映像復調回路２０６にて受信される。
【００４０】
居室親機２ａの映像復調回路２０６は、玄関子機１ａからの平衡映像信号をＦＭ復調してモニタ２０５に送出することにより、玄関子機１ａのカメラ１０１にて撮像された映像、すなわち、呼出操作を行った来訪者の映像や玄関の周囲近傍の映像等を、モニタ２０５に出画させることができる。なお、モニタ２０５には、ＣＰＵ２１４の制御により、来訪者からの呼び出しがある旨の呼出メッセージや絵データ等を併せて表示させることもできる。
【００４１】
次に、前述の呼出報知及び映像の出画をもとに、来訪者からの呼び出しがあることを当該来訪者の識別と併せて確認できた居住者は、居室親機２ａの操作部２１３を使用して当該呼び出しに応答するための操作を行うことができる。この操作を検出したＣＰＵ２１４は、呼出・通話切替回路２０４を制御して、呼出・通話ラインＬ1からライン端子Ｐ20を経由して呼出検出回路２００への接続を、ライン端子Ｐ20を経由して呼出・通話ラインＬ1及び親機通話回路２０３の間の接続に切り替えるとともに、親機通話回路２０３が能動となるように制御する。この制御により、居住者が使用する親機マイク２０１から親機通話回路２０３、呼出・通話切替回路２０４、ライン端子Ｐ20、呼出・通話ラインＬ1、玄関子機１ａのライン端子Ｐ10、子機通話回路１０８を経由して来訪者が使用する子機スピーカ１０７までの信号伝送ライン（信号伝送路）と、来訪者が使用する当該玄関子機の子機マイク１０６から子機通話回路１０８、ライン端子Ｐ10、呼出・通話ラインＬ1、当該居室親機のライン端子Ｐ20、呼出・通話切替回路２０４、親機通話回路２０３を経由して居住者が使用する親機スピーカ２０２までの信号伝送ライン（信号伝送路）とがそれぞれ形成され、形成された各信号伝送ライン（信号伝送路）を経由して音声信号を送受信させることで通話が成立し、居住者にとっては、モニタ２０５に出画されている来訪者の映像を確認しながらの通話が可能となる。
【００４２】
次に、前述の呼出（呼出報知）時や通話の成立時、又は当該テレビドアホン装置が待受状態であるとき、火災、ガス漏れ等のセキュリティ異常が住戸内にて発生すると、これを検出した居室親機２ａのＣＰＵ２１４、或いは、このセキュリティ異常を確認した居住者による操作部２１３の操作を検出したＣＰＵ２１４は、親機スピーカ２０２から警報音や音声メッセージ等を出力させるとともに、モニタ２０５に警報メッセージや絵データ等を表示させて警報発報を行うことができる。また、ＣＰＵ２１４は、第３の子機電源供給回路２１０を能動とし、親機電源回路２０７にて生成されたＤＣ１２Ｖの子機電源を、例えば、ＤＣ６．５Ｖに降圧させた約０Ωの低インピーダンスで、第１の親機インピーダンス制御回路２１１、ライン端子Ｐ21、電源・映像ラインＬ1を経由して玄関子機１ａのライン端子Ｐ11に印加することができる。
【００４３】
ここで、玄関子機１ａの表示器電源検出回路１１６は、（整流ダイオード１１２、第１の子機インピーダンス制御回路１１０を経由して、）ライン端子Ｐ11に印加された子機電源の電圧値が、電源・映像ラインＬ2が有するインピーダンスの影響を何ら受けずにＤＣ６．５Ｖであると検出する。このＤＣ６．５Ｖの子機電源を検出した表示器電源検出回路１１６は、戸外表示器１０９を点滅させることにより、火災、ガス漏れ等のセキュリティ異常が住戸内にて発生したことを警報表示することができセキュリティが高められるばかりでなく、低インピーダンスである例えば、１００Ωのインピーダンスを有するカメラ検出負荷回路１１４における消費電力を抑えるために負荷切離回路１１７を制御し、整流ダイオード１１２からカメラ検出負荷回路１１４への電源供給ラインを遮断することができる。
【００４４】
なお、前述までの説明では、火災、ガス漏れ等のセキュリティ異常が住戸内にて発生したときの警報発報として、玄関子機１ａの戸外表示器１０９を点滅させる、居室親機２ａの親機スピーカ２０２から警報音や音声メッセージ等を出力させる、及び警報メッセージや絵データ等をモニタ２０５に表示させる態様について説明したが、この態様に限定されるものではない。例えば、ＣＰＵ２１４にて生成される警報音信号を、呼出・通話切替回路２０４、ライン端子Ｐ20、呼出・通話ラインＬ1、玄関子機１ａのライン端子Ｐ10を経由して子機スピーカ１０７に送出することにより、警報音や音声メッセージ等を子機スピーカ１０７から出力させ、火災、ガス漏れ等のセキュリティ異常が住戸内にて発生したことを警報発報することもできる。
【００４５】
前述までの説明から明らかなように、本発明の第１の実施例によるテレビドアホン装置においては、玄関に設置される玄関子機１ａに戸外表示器１０９と当該戸外表示器を駆動制御（点滅又は点灯）するための表示器電源検出回路１１６とを備え、さらには、居室親機２ａの親機電源回路２０７にて生成される子機電源の電圧値を変化させて低インピーダンスで玄関子機１ａに供給して戸外表示器１０９を駆動（点滅又は点灯）させるための回路として、第３の子機電源供給回路２１０を当該居室親機に備えた態様について説明したが、この態様に限定されるものではない。例えば、本発明の第２の実施例によるテレビドアホン装置として、図２の回路ブロック図から明らかなように、戸外表示器１０９が不要とされる玄関子機１ｂを適用するにあたっては、この玄関子機１ｂに表示器電源検出回路１１６を備える必要がなく当該玄関子機の回路構成を簡素化できる。また、玄関子機１ｂに伝送路Ｌを経由して接続される居室親機２ｂについても、第３の子機電源供給回路２１０を備える必要がなく当該居室親機の回路構成を簡素化できる。
【００４６】
本発明のテレビドアホン装置においては、特定の実施の形態をもって説明してきたが、この形態に限定されるものでなく、本発明の効果を奏する限り、これまで知られた如何なる構成のテレビドアホン装置であっても採用できるということはいうまでもないことである。
【図面の簡単な説明】
【００４７】
【図１】本発明の第１の実施例によるテレビドアホン装置の具体的な構成を示す回路ブロック図。
【図２】本発明の第２の実施例によるテレビドアホン装置の具体的な構成を示す回路ブロック図。
【符号の説明】
【００４８】
１ａ……玄関子機
１０１……カメラ
１０９……戸外表示器
１１４……カメラ検出負荷回路
１１５……カメラ電源検出回路
１１６……表示器電源検出回路
１１７……負荷切離回路
１ｂ……玄関子機
１０１……カメラ
１１４……カメラ検出負荷回路
１１５……カメラ電源検出回路
１１７……負荷切離回路
２ａ……居室親機
２０５……モニタ
２０７……親機電源回路
２０８、２０９、２１０……第１乃至第３の各子機電源供給回路
２ｂ……居室親機
２０５……モニタ
２０７……親機電源回路
２０８、２０９……第１、第２の各子機電源供給回路
Ｌ……伝送路
【図１】
2008301252.tif 000003
【図２】
2008301252.tif 000004